【手続補正書】
【提出日】平成30年2月19日(2018.2.19)
【手続補正１】
【補正対象書類名】特許請求の範囲
【補正対象項目名】全文
【補正方法】変更
【補正の内容】
【特許請求の範囲】
【請求項１】
内燃機関の排出ガス中の酸素濃度を調整するポンプセル（１１０）と、
前記ポンプセルを通過した後の前記排出ガスから特定のガス成分の濃度を検出するセンサセル（１３０）と、
前記ポンプセルにより調整された前記酸素濃度を検出する第１セル（１２０）と、
前記第１セルより前記排出ガスの流れ方向の上流側に設けられ、前記酸素濃度を検出する第２セル（１８０）と、を備え、
前記第１セル及び前記第２セルが、前記ポンプセルによる前記酸素濃度の調整用の測定室（１５０）内に設けられ、
前記第１セルは、前記流れ方向に沿った下流側端部の位置が前記ポンプセルの下流側端部の位置より下流側になるよう設けられ、
前記第２セルは、前記流れ方向に沿った上流側端部の位置が前記ポンプセルの上流側端部の位置より上流側になるよう設けられる、
排出ガスセンサ（１００）。
【請求項２】
前記第１セルは、前記流れ方向に沿った上流側端部の位置が前記ポンプセルの下流側端部の位置より下流側になるよう設けられ、
前記第２セルは、前記流れ方向に沿った下流側端部の位置が前記ポンプセルの上流側端部の位置より上流側になるよう設けられる、
請求項１に記載の排出ガスセンサ。
【請求項３】
前記第１セルは、前記流れ方向に沿った上流側端部の位置が前記ポンプセルの下流側端部の位置より下流側になるよう設けられ、
前記第２セルは、前記流れ方向において前記ポンプセルの上流側端部と重畳する位置に設けられる、
請求項１に記載の排出ガスセンサ。
【請求項４】
前記第１セルは、前記流れ方向において前記ポンプセルの下流側端部と重畳する位置に設けられ、
前記第２セルは、前記流れ方向に沿った下流側端部の位置が前記ポンプセルの上流側端部の位置より上流側になるよう設けられる、
請求項１に記載の排出ガスセンサ。
【請求項５】
前記第１セルは、前記流れ方向において前記ポンプセルの下流側端部と重畳する位置に設けられ、
前記第２セルは、前記流れ方向において前記ポンプセルの上流側端部と重畳する位置に設けられる、
請求項１に記載の排出ガスセンサ。
【請求項６】
内燃機関の排出ガス中の酸素濃度を調整するポンプセル（１１０）と、
前記ポンプセルを通過した後の前記排出ガスから特定のガス成分の濃度を検出するセンサセル（１３０）と、
前記ポンプセルにより調整された前記酸素濃度を検出する第１セル（１２０）と、
前記第１セルより前記排出ガスの流れ方向の上流側に設けられ、前記酸素濃度を検出する第２セル（１８０）と、を備え、
前記第１セル及び前記第２セルが、前記ポンプセルによる前記酸素濃度の調整用の測定室（１５０）内に設けられ、
前記第１セルは、前記流れ方向に沿った下流側端部の位置が前記ポンプセルの上流側端部の位置より上流側になるよう設けられ、
前記第２セルは、前記流れ方向に沿った上流側端部の位置が前記ポンプセルの下流側端部の位置より下流側になるよう設けられる、
排出ガスセンサ。
【請求項７】
前記第２セルが、前記ポンプセルによる前記酸素濃度の調整用の第１測定室（１５０）内に設けられ、
前記第１セルが、前記第１測定室より下流側に前記第１測定室と連通して配置される、前記センサセルによる前記ガス成分濃度の検出用の第２測定室（１６０）に設けられる、
請求項１に記載の排出ガスセンサ。
【請求項８】
請求項１〜７のいずれか１項に記載の排出ガスセンサ（１００）の制御装置（１０）であって、
前記排出ガスセンサの動作中に、前記第１セルにより検出される酸素濃度と、前記第２セルにより検出される酸素濃度との両方に基づき前記ポンプセルによる前記排出ガス中の酸素濃度の調整制御を行う、
排出ガスセンサの制御装置。
【請求項９】
前記内燃機関が過渡運転中のとき、下流側の前記第１セルの出力に応じて上流側の前記第２セルの出力を補正し、前記第２セルにより検出される補正後の酸素濃度に基づき前記ポンプセルによる前記排出ガス中の酸素濃度の調整制御を行う、
請求項８に記載の排出ガスセンサの制御装置。
【請求項１０】
請求項１〜７のいずれか１項に記載の排出ガスセンサの制御装置であって、
前記排出ガスセンサの動作中に、前記第１セルにより検出される酸素濃度、及び、前記第２セルにより検出される酸素濃度のいずれか一方に基づき前記ポンプセルによる前記排出ガス中の酸素濃度の調整制御を行う、
排出ガスセンサの制御装置。
【請求項１１】
前記内燃機関に設けられる、前記排出ガスセンサとは別のセンサにより検出された前記排出ガスの酸素濃度に関する情報に応じて、前記第１セルにより検出される酸素濃度、及び、前記第２セルにより検出される酸素濃度から、前記ポンプセルによる前記調整制御に用いる酸素濃度を選択する、
請求項１０に記載の排出ガスセンサの制御装置。
【請求項１２】
前記第２セルにより検出された酸素濃度に応じて、前記第１セルにより検出される酸素濃度、及び、前記第２セルにより検出される酸素濃度から、前記ポンプセルによる前記調整制御に用いる酸素濃度を選択する、
請求項１０に記載の排出ガスセンサの制御装置。
【請求項１３】
前記情報が閾値より小さいとき、前記ポンプセルによる前記調整制御に用いる酸素濃度として、上流側の前記第２セルにより検出される酸素濃度を選択し、
前記情報が前記閾値以上のとき、下流側の前記第１セルにより検出される酸素濃度を選択する、
請求項１１に記載の排出ガスセンサの制御装置。
【請求項１４】
前記情報から導出される空気過剰率が閾値より小さいとき、前記ポンプセルによる前記調整制御に用いる酸素濃度として、上流側の前記第２セルにより検出される酸素濃度を選択し、
前記空気過剰率が前記閾値以上のとき、下流側の前記第１セルにより検出される酸素濃度を選択する、
請求項１１に記載の排出ガスセンサの制御装置。
【請求項１５】
請求項１〜７のいずれか１項に記載の排出ガスセンサ（１００）と、
請求項８〜１４のいずれか１項に記載の制御装置（１０）と、
を備える排出ガスセンサシステム（１）。
【手続補正２】
【補正対象書類名】明細書
【補正対象項目名】０００７
【補正方法】変更
【補正の内容】
【０００７】
上記課題を解決するために、本発明に係る排出ガスセンサ（１００）は、内燃機関の排出ガス中の酸素濃度を調整するポンプセル（１１０）と、前記ポンプセルを通過した後の前記排出ガスから特定のガス成分の濃度を検出するセンサセル（１３０）と、前記ポンプセルにより調整された前記酸素濃度を検出する第１セル（１２０）と、前記第１セルより前記排出ガスの流れ方向の上流側に設けられ、前記酸素濃度を検出する第２セル（１８０）と、を備え、前記第１セル及び前記第２セルが、前記ポンプセルによる前記酸素濃度の調整用の測定室（１５０）内に設けられ、前記第１セルは、前記流れ方向に沿った下流側端部の位置が前記ポンプセルの下流側端部の位置より下流側になるよう設けられ、前記第２セルは、前記流れ方向に沿った上流側端部の位置が前記ポンプセルの上流側端部の位置より上流側になるよう設けられる。
また、上記課題を解決するために、本発明に係る排出ガスセンサは、内燃機関の排出ガス中の酸素濃度を調整するポンプセル（１１０）と、前記ポンプセルを通過した後の前記排出ガスから特定のガス成分の濃度を検出するセンサセル（１３０）と、前記ポンプセルにより調整された前記酸素濃度を検出する第１セル（１２０）と、前記第１セルより前記排出ガスの流れ方向の上流側に設けられ、前記酸素濃度を検出する第２セル（１８０）と、を備え、前記第１セル及び前記第２セルが、前記ポンプセルによる前記酸素濃度の調整用の測定室（１５０）内に設けられ、前記第１セルは、前記流れ方向に沿った下流側端部の位置が前記ポンプセルの上流側端部の位置より上流側になるよう設けられ、前記第２セルは、前記流れ方向に沿った上流側端部の位置が前記ポンプセルの下流側端部の位置より下流側になるよう設けられる。